(57)【要約】      （修正有）【課題】合板に対する縦、横、斜め方向からの荷重に対する剛性を高めた耐震構造合板を提供する。【解決手段】横の木目の板を心板材２とし、該心板材２を両側から挟む添え心板材３，４の一方の木目が斜め４５度に傾斜し、他方の木目が一方の木目と反対方向に斜め４５度に傾斜してなり、該添え心板材３，４の外側に縦の木目の表板材５と裏板材６とを重ね合わせた合板からなっており、前記合板を構成する板が、正方形又は長方形で縦の木目の単板を、直角二等辺三角形を隙間無く組み合せた切断線に沿って切断し、又は上部が二等辺三角形となる五角形と二等辺三角形とを組み合せた切断線に沿って切断した切断片を組み合せて形成されていることを特徴とする。【選択図】図３
0003177561.tif 000002
【実用新案登録請求の範囲】
【請求項１】
直方体の合板の中央に配置される木目が横に延びる心板材と、該心板材の一側に接着されて木目が斜め４５度に傾斜する一方の添え心板材と、前記心板材の他側に接着されて木目が前記一方の添え心板材と反対方向に斜め４５度に傾斜する他方の添え心板材と、前記一方及び他方のそれぞれの添え心板材の外表面に接着されて表裏となる木目が縦に延びる外表面板とからなっており、
前記一方およびまたは他方の添え心板材が、木目が縦または横に延びる正方形の板材を一方の対角線に沿って二等分した直角二等辺三角形からなる一対の第１構成片と、一方の第１構成片をその頂角の二等分線に沿って二等分した直角二等辺三角形からなる一対の第２構成片とに分断し、第１構成片の各斜辺に沿って木目を合わせて第２構成片の底辺を一体に接合して、木目が４５度に傾斜する長方形の板材からなることを特徴とする耐震構造合板。
【請求項２】
心板材、一方の添え心板材、他方の添え心板材、耐震構造合板の表面または裏面となる外表面板の全部または一部が、木目を揃えた板材を、所定強度を有するように複数枚接着してなることを特徴とする請求項１に記載の耐震構造合板。
【請求項３】
添え心板材が、木目を揃えた複数の板材を接着してなる場合に、貼り合わせる板材間の第１構成片と第２、第３構成片との接合線が重ならないように配置してなることを特徴とする請求項２に記載の耐震構造合板。
【考案の詳細な説明】
【技術分野】
【０００１】
本考案は、縦、横、斜め方向からの荷重に対する剛性を高めた耐震構造合板に関する。
【背景技術】
【０００２】
従来、一般的な合板、例えば５プライ合板は、繊維方向が1 枚ずつ直交するよう貼り合わせてあり、屋根裏材や内外装の壁材、床下材、床材などＭＰ建築資材として使用されている。
しかし、地震等で倒壊した木造建築の壁材などを見ると、建物や壁が斜めに捩れて破断しており、横揺れや重力により斜め方向に加わった負荷が原因となり建築物が半壊や全壊してしまうなどの多大な被害を生じている。
一方で、繊維方向が縦横の単板だけでなく斜め方向の単板を組み合せることで剛性を高めるため、例えば、実開昭４９−３４２７０号の繊維束材料を斜交中芯とした合板では、表単板、縦中芯、裏単板はそれぞれ繊維方向が直交する従来と同様と同様の単板を用い、添中芯として繊維方向が４５度傾く単板を斜交中芯として用い、合板を構成する各単板の繊維方向が順次４５度ずつ傾くように合板を構成した構造や、単板の斜交中芯に替えて４５度の向きに繊維方向がなるように繊維束材料に接着剤を塗布して多数平行に並べて平らに堆積したものを用いた構成が開示されている。
また、特開平１１−７７６０９号の全方位耐震構造合板では、木目が縦、横、左斜め４５度又は右斜め４５度のそれぞれの単板を接合した構成が開示されている。
しかし、上記構成では、簡単な構成で無駄なく十分な効果を挙げるにはいたらなかった。
【先行技術文献】
【特許文献】
【０００３】
【特許文献１】実開昭４９−３４２７０号公報
【特許文献２】特開平１１−７７６０９号公報
【考案の概要】
【考案が解決しようとする課題】
【０００４】
この考案の解決しようとする問題点は、建築資材などに使用される合板に斜め方向の負荷が加わっても強度を有する合板であって、一般に使用される縦の木目の単板を加工し、合板の加工の際に挟み込み加工することで、全方位からの耐震性の強化を実現するもので、特に中間層となる木目が斜めの板材は、木目が縦または横の正方形の板材を分割し、その分割片を接着して用いた耐震構造合板を提供することにある。
この発明の別の課題は、合板を構成する各板材の全部又は一部を、要求される強度に対応して、木目を同じくする複数の板材を接着した構造とした耐震構造合板を提供することにある。
【課題を解決するための手段】
【０００５】
本考案の耐震構造合板は、直方体の合板の中央に配置される木目が横に延びる心板材と、該心板材の一側に接着されて木目が斜め４５度に傾斜する一方の添え心板材と、前記心板材の他側に接着されて木目が前記一方の添え心板材と反対方向に斜め４５度に傾斜する他方の添え心板材と、前記一方及び他方のそれぞれの添え心板材の外表面に接着されて表裏となる木目が縦に延びる外表面板とからなっており、前記一方およびまたは他方の添え心板材が、木目が縦または横に延びる正方形の板材を一方の対角線に沿って二等分した直角二等辺三角形からなる一対の第１構成片と、一方の第１構成片をその頂角の二等分線に沿って二等分した直角二等辺三角形からなる一対の第２構成片とに分断し、第１構成片の各斜辺に沿って木目を合わせて第２構成片の底辺を一体に接合して、木目が４５度に傾斜する長方形の板材からなることを特徴とする。
前記心板材、一方の添え心板材、他方の添え心板材、耐震構造合板の表面または裏面となる外表面板の全部または一部が、木目を揃えた板材を、所定強度を有するように複数枚接着してもよい。
また、上記添え心板材が、木目を揃えた複数の板材を接着してなる場合に、貼り合わせる板材間の第１構成片と第２、第３構成片との接合線が重ならないように配置することが好ましい。
【考案の効果】
【０００６】
合板の添え心材の一方に木目が斜め４５度に傾斜する板材を用い、他方に一方と逆方向に斜め４５度に傾斜する板材を用いることで、建築資材などに使用される合板に地震等で縦横斜め方向の負荷が加わっても強度を有する合板を実現する。
木目が４５度傾斜する添え心材は、木目が縦または横に延びる正方形の板材を直角二等辺三角形に分割し、木目を揃えて接着することで容易に成形することができ、このように接着された添え心材は、心板材と外表面板との間に挟まれて面で接着されるので、分割片を接着したものであっても強度が損なわれることがない。
また、心板材、添え心板材、外表面板は、用途に合わせて、同じ木目の板材を複数枚接着して形成したものでよく、必要な強度を実現することができる。
これにより、上記合板は、強度（圧縮、引張り、曲げ）があらゆる方位に優れ、反りや寸法の狂いを生じることがなく、耐震性に優れると共に耐用期間が長く、木材資源を有効利用でき、廉価に全方位からの耐震性の強化を容易に実現することができる。
【図面の簡単な説明】
【０００７】
【図１】耐震構造合板を構成する各板材の木目を示す斜視図であり、（ａ）は木目が縦となる表板材又は裏板材、（ｂ）は木目が横となる心板材、（ｃ）は木目が４５度傾斜した一方の添え心材、（ｄ）は木目が反対方向に４５度傾斜した他方の添え心材である。
【図２】耐震構造合板の木目を模式的に示す側面図である。
【図３】同斜視図である。
【図４】（ａ）は縦の木目の板材を複数重ねる状態を示す分解斜視図、（ｂ）は（ａ）の板材を接合した表裏板材の側面図である。
【図５】（ａ）は横の木目の板材を複数重ねる状態を示す分解斜視図、（ｂ）は（ａ）の板材を接合した心板材の側面図である。
【図６】（ａ）は斜めの木目の板材を複数重ねる状態を示す分解斜視図、（ｂ）は（ａ）の板材を接合した添え心板材の側面図である。
【図７】（ａ）は木目が縦の単板の切断個所を示す正面図、（ｂ）は分離した三片の組み合せを示す正面図、（ｃ）は三片を接合して添え心板材とした正面図である。
【図８】（ａ）は木目が横の単板の切断個所を示す正面図、（ｂ）は分離した三片の組み合せを示す正面図、（ｃ）は三片を接合して添え心板材とした正面図である。
【図９】複数の板材を接合線が一致しないように貼り合わせて添え心板材とする場合の分解斜視図である。
【考案を実施するための形態】
【０００８】
以下に、この考案の耐震構造合板の好適実施例について図面を参照しながら説明する。
【実施例１】
【０００９】
本実施例の耐震構造合板１は、図１〜図３に示すように、９００ｍｍ（横）×１８００ｍｍ(縦)の板材を奇数、本実施例では５枚重ね合わせて接着した合板からなっている。
中心となる心板材２として、木目が横目の単板で厚みが例えば１ｍｍ〜５ｍｍのものを用いる(図１（ｂ）参照）。
【００１０】
そして、木目を４５度にした板で、斜めの向きが反対（直交する）方向となる一対の板材（図１（ｃ）（ｄ）参照）を用意して添え心材３、４とし、前記心材２を挟み込むようにして張り付ける。
【００１１】
この発明の合板の材料としては、スギ、マツ、ヒノキ、ツガ、ヒバなどの針葉樹、ケヤキ、カシ、ブナ、ナラ、サクラ、キリ、ラワン、チークなどの広葉樹や、これらの組み合せなどが例示されるが、この考案では一定の強度を有するものであれば特に木の種類は限定されず、得られる合板の用途や外観に応じて適宜選択して使用しうる。
【００１２】
合板を構成する各板相互の接合、及び後述の１枚の構成板を寄せ集めで組み立てる場合には公知の接着剤が使用されるが、その種類は、各接着剤の特徴や合板の用途などに応じて選択する。
即ち、接着剤の種類には、一例を挙げると、ゴム系、エチレン−酢酸ビニル共重合体系、アクリル樹脂系などのエマルジョン型接着剤、ゴム系、ポリ塩化ビニル系、ポリ酢酸ビニル系、アクリル樹脂系、ポリウレタン系などの溶剤型接着剤、エチレン−酢酸ビニル共重合体系、スチレン−ブタジエンブロック共重合体系、スチレン−イソプレンブロック共重合体系、ポリエステル系、ポリアミド系などのホットメルト型接着剤、フェノール樹脂系、メラミン樹脂系、ユリア樹脂系、エポキシ樹脂系などの熱硬化型接着剤などがあるが、これらに限定されず公知の接着剤を使用しうる。
【００１３】
また、接着剤を塗布した各構成板の接合は、プレス、加圧ロールなどにより行うが、ホットメルト型接着剤や熱硬化型接着剤の場合、室温で数分〜数時間仮接合して単板のソリを無くしてから、加熱下で接合する。加熱には蒸気、ヒーターなど、その他の公知の方法によって一体に接着することができる。
【００１４】
次に、縦sの木目の単板（図１（ａ）参照）を２枚用意して表板材５、裏板材６とし、前記添え心材３、４を挟み込むようにその外側にそれぞれ張り付ける。
これにより、図２及び図３に示すように、表板材５、一方の添え心板材３、心板材２,他方の添え心板材４、裏板材６の順に重なって張り付けられた合板が形成される。
【００１５】
前記合板１は、木目が、縦、斜め下向き４５度、横、斜め上向き４５度、縦の順にそれぞれ並ぶので、縦、横、斜めの全方位の負荷に対して十分な強度を高めることができる。
【００１６】
各板材２〜６は、同じ木目の板材を１枚または複数枚貼り合わせて用いることで、各板材の強度、及び合板としての強度を所望の強度に設定することができる。
即ち、図４では木目が縦の板材１１を複数枚（図示例では２枚）貼合せて１枚の表板材５または裏板材６とした例を示す。
【００１７】
図５では、木目が横の板材１２を複数枚（図示例では３枚）貼合せて１枚の心板材２とした例を示す。  
図６では、木目が斜め４５度の板材１３を複数枚（図示例では２枚）貼合せて１枚の添え心板材３または４とした例を示す。
このように各板材２〜６の貼り合わせる枚数は同じであっても無くてもよく、用途や材質などの条件に応じて任意に貼り合わせて使用することができる。
【００１８】
次に、木目が斜めとなる添え心材３、４は木目が斜めに４５度に傾斜している必要があるので、木目が縦又は横の板材を切断し貼り合わせることで容易に成形することができる。
【００１９】
本実施例で各板材は、一例として、短辺ａ（９００ｍｍ）×長辺２ａ＝ｂ（１８００ｍｍ）の長さからなっている。
図７、図８で、斜辺をａとする直角二等辺三角形の底辺の長さをｃ（ａ√２）とし、斜辺をｃとする直角二等辺三角形の底辺の長さを２ａ（＝ｂ）とする。
【００２０】
ここで、添え心材３、４を成形するための単板１０は、縦の木目を有し、１辺の長さをｃとする正方形の板からなっている（図７（ａ）参照）。
そして、単板１０は、対角線Ｌ１の長さが２ａ（ｂ）となるので、対角線Ｌ１に沿って二等分された部分は、斜辺をｃとし、底辺を２ａとする２つの直角二等辺三角形の第１分割片１０Ａとなる。
この直角二等辺三角形の木目は一方の斜辺と平行になる。
【００２１】
そして、一方の第１片１０Ａを、頂角の二等分線（底辺の垂直二等分線と同じ）に沿って二等分された部分は、底辺の長さがｃで、斜辺の長さがａの２つの直角二等辺三角形の板からなる第２分割片１０ｂと第２分割片１０ｃに二等分される。
この第２分割片１０ｂは、その木目が底辺と平行に延びており、第３分割片１０ｃはその木目が底辺に対して直角となるように形成される。
【００２２】
そこで、図７（ｂ）に例示するように、前記第１分割片１０Ａを、その底辺が長方形の長手辺となり頂点が対向する長手辺の中点となるように配置し、前記第２分割片１０ｂ及び第３分割片１０ｃをその頂点が長方形の角部を形成し底辺が前記第１分割片１０Ａの斜辺と整合するように組み合わせ、それぞれの木目が連続するように配置して前記三片の接触面を接合することで、木目が４５度に傾斜する添え心材を形成することができる（図７（ｃ）参照）。
ここで木目の傾斜する向きは、板材を裏返すことで反対にすることができる。
【００２３】
図８では、木目が横の単板１０を用いた場合を例示する。
単板１０は、木目が縦の板材を９０度回して用いてもよい。
この場合も、前記図７と同様に、１辺の長さをｃとする正方形の板からなっている（図８（ａ）参照）。
【００２４】
そして、対角線Ｌ１に沿って二等分された部分は、斜辺をｃとし、底辺を２ａとする２つの直角二等辺三角形の第１分割片１０Ａとなり、木目は一方の斜辺と平行になる。
一方の第１片１０Ａを、頂角の二等分線（底辺の垂直二等分線と同じ）に沿って二等分することで、底辺の長さがｃで、斜辺の長さがａの２つの直角二等辺三角形の板からなる第２分割片１０ｂと第２分割片１０ｃに二等分される。
この第２分割片１０ｂは、その木目が底辺と平行に延びており、第３分割片１０ｃはその木目が底辺に対して直角となる。
【００２５】
そこで、図８（ｂ）に例示するように、前記第１分割片１０Ａを、その底辺が長方形の長手辺となり頂点が対向する長手辺の中点となるように配置し、前記第２分割片１０ｂ及び第３分割片１０ｃをその頂点が長方形の角部を形成し底辺が前記第１分割片１０Ａの斜辺と整合するように組み合わせ、それぞれの木目が連続するように配置して前記三片の接触面を接合することで、木目が４５度に傾斜する添え心材を形成することができる（図８（ｃ）参照）。
この場合も、木目の傾斜する向きは、板材を裏返すことで反対にすることができる。
【００２６】
このように正方形の板材１０を基に１つの第１分割片１０Ａと２つの第２分割片１０ｂ、１０ｃに分割し、これらを組み合わせて接着し、長方形の添え心材３（または４）を形成することができる。
【００２７】
この添え心板材は、複数枚を重ね合わせて１枚の添え心板材とする場合には、例えば図９に示すように、三片の接合線が一致しないようにして貼り合わせることが好ましい。
この考案は上記実施例に限定されるものではなく要するにこの考案の要旨を変更しない範囲で種々設計変更することができる。
【符号の説明】
【００２８】
１    耐震構造合板
２    心板材
３、４  添え心板材
５    表板材
６    裏板材
１０    単板
１０Ａ  第１構成片
１０ｂ  第２構成片
１０ｃ  第３構成片
ａ    板材の短手辺
ｂ    板材の長手辺
ｃ    正方形の単板の１辺
【図１】
0003177561.tif 000003
【図２】
0003177561.tif 000004
【図３】
0003177561.tif 000005
【図４】
0003177561.tif 000006
【図５】
0003177561.tif 000007
【図６】
0003177561.tif 000008
【図７】
0003177561.tif 000009
【図８】
0003177561.tif 000010
【図９】
0003177561.tif 000011